(57)【要約】【課題】  本発明は、見たい番組の視聴予約を行ない、予約された番組の視聴に必要な電力を算出することにより、予約番組に必要な電力を保存することができ、かつ、他の番組の視聴も可能とする放送受信装置を提供する。【解決手段】  内部電源により駆動される放送受信装置であって、番組の視聴予約を行なう予約手段２と、前記視聴予約された予約番組を視聴するために必要な予約電力を算出する制御手段４とを有し、前記制御手段４は、前記内部電源に前記予約電力が残存している場合、前記予約電力を保存するように制御することを特徴とする。【選択図】  図１
2005252598.tif 000002
【特許請求の範囲】
【請求項１】
内部電源により駆動される放送受信装置であって、
番組の視聴予約を行なう予約手段と、
前記視聴予約された予約番組を視聴するために必要な予約電力を算出する制御手段とを有することを特徴とする放送受信装置。
【請求項２】
放送信号とともに送信される電子番組表を表示する表示手段を有し、前記予約手段は、前記電子番組表を用いて前記視聴予約を行なうことを特徴とする請求項１に記載の放送受信装置。
【請求項３】
前記制御手段は、前記内部電源に前記予約電力が残存している場合、前記予約電力を保存するように制御することを特徴とする請求項１または２に記載の放送受信装置。
【請求項４】
前記制御手段は、前記内部電源に前記予約電力が残存していない場合、前記予約手段による前記予約番組の予約を解除するように制御することを特徴とする請求項１乃至３のいずれかに記載の放送受信装置。
【請求項５】
前記制御手段は、前記内部電源に前記予約電力が残存していない場合、電力不足である旨を表示するように制御することを特徴とする請求項４に記載の放送受信装置。
【請求項６】
前記制御手段は、前記予約番組の開始時刻前に他番組の視聴が行なわれることにより、前記予約電力が不足すると判断された場合、前記他番組の視聴を中止するように制御することを特徴とする請求項１乃至５のいずれかに記載の放送受信装置。
【請求項７】
前記制御手段は、前記他番組の視聴を中止する場合、前記予約電力が不足する旨を表示するように制御することを特徴とする請求項６に記載の放送受信装置。
【請求項８】
前記制御手段は、前記予約番組の開始時刻前に他番組の視聴が行なわれることにより、前記予約電力が不足すると判断された場合、前記他番組の視聴を継続するか中止するかを選択するための選択肢を表示するように制御することを特徴とする請求項１乃至５のいずれかに記載の放送受信装置。
【請求項９】
前記制御手段は、前記選択肢により継続が選択された場合、保存されている前記予約電力を使用することができるように制御することを特徴とする請求項８に記載の放送受信装置。
【請求項１０】
前記制御手段は、前記内部電源に残存する電力と前記予約電力に基づいて、前記予約番組の開始時刻前に他番組を視聴可能な時間を算出し表示することを特徴とする請求項１乃至９のいずれかに記載の放送受信装置。
【発明の詳細な説明】
【技術分野】
【０００１】
本発明は、内部電源により駆動される放送受信装置に関する。
【背景技術】
【０００２】
近年、電池等の内部電源により駆動され、場所を選ばずに使用できる放送受信装置が開発されている。ところで、内部電源は使用により電力が減少していくため使用時間に限界がある。そこで、無駄な電力の消耗を防止するため、見たい番組を予め選択して、選択された番組の開始時刻までは受信手段の電源をオフにし、開始時刻になると電源をオンにして選択された番組の受信を行なう装置が提案されている（特許文献１）。
【特許文献１】特開平８−２４２１８７号公報
【発明の開示】
【発明が解決しようとする課題】
【０００３】
しかしながら、特許文献１に記載の装置は、選択された番組の開始時刻までは受信手段が作動しないため、選択された番組の開始時刻前に他の番組を見ることができず不便なものであった。
本発明は、このような問題点に鑑みなされたものであり、見たい番組の視聴予約を行ない、予約された番組の視聴に必要な電力を算出することにより、予約番組に必要な電力を保存することができ、かつ、他の番組の視聴も可能とする放送受信装置を提供するものである。
【課題を解決するための手段】
【０００４】
本発明は、内部電源により駆動される放送受信装置であって、番組の視聴予約を行なう予約手段と、前記視聴予約された予約番組を視聴するために必要な予約電力を算出する制御手段とを有することを特徴とする。
前記放送受信装置は、放送信号とともに送信される電子番組表を表示する表示手段を有し、前記予約手段は、前記電子番組表を用いて前記視聴予約を行なうことを特徴とする。
前記制御手段は、前記内部電源に前記予約電力が残存している場合、前記予約電力を保存するように制御することを特徴とする。
前記制御手段は、前記内部電源に前記予約電力が残存していない場合、前記予約手段による前記予約番組の予約を解除するように制御することを特徴とする。
前記制御手段は、前記内部電源に前記予約電力が残存していない場合、電力不足である旨を表示するように制御することを特徴とする。
前記制御手段は、前記予約番組の開始時刻前に他番組の視聴が行なわれることにより、前記予約電力が不足すると判断された場合、前記他番組の視聴を中止するように制御することを特徴とする。
前記制御手段は、前記他番組の視聴を中止する場合、前記予約電力が不足する旨を表示するように制御することを特徴とする。
前記制御手段は、前記予約番組の開始時刻前に他番組の視聴が行なわれることにより、前記予約電力が不足すると判断された場合、前記他番組の視聴を継続するか中止するかを選択するための選択肢を表示するように制御することを特徴とする。
前記制御手段は、前記選択肢により継続が選択された場合、保存されている前記予約電力を使用することができるように制御することを特徴とする。
前記制御手段は、前記内部電源に残存する電力と前記予約電力に基づいて、前記予約番組の開始時刻前に他番組を視聴可能な時間を算出し表示することを特徴とする。
【発明の効果】
【０００５】
本発明は、見たい番組の視聴予約を行ない、予約された番組の視聴に必要な電力を算出することにより、予約番組に必要な電力を保存することができ、かつ、他の番組の視聴も可能とする放送受信装置を提供することができる。
【発明を実施するための最良の形態】
【０００６】
次に、本発明の内容を詳細に説明するが、本発明はこれら実施の形態に何ら限定されるものではない。
【０００７】
図１は、本発明の実施の形態にかかる放送受信装置の主要部のブロック図である。
放送受信装置は、デジタル放送で放送信号とともに送信される電子番組表（ＥＰＧ）等を表示する表示手段１、番組の視聴予約を行なうリモコンや他の入力手段で構成された予約手段２、視聴予約された予約番組のデータを記憶する記憶手段３、予約番組の視聴に必要な電力の算出等を行なう制御手段４、算出された予約番組の視聴に必要な電力を保存する電力制御手段５等から構成される。
【０００８】
予約番組の視聴に必要な電力を保存するための構成を、図２に示すフローチャートに基づいて説明する。
まず、放送信号とともに送信される電子番組表が表示手段１に表示され（Ｓ１）、予約手段２により電子番組表を用いて見たい番組の視聴予約を行なうことができる（Ｓ２）。視聴予約された予約番組のデータは、記憶手段３に記憶される。予約番組のデータには開始時刻および終了時刻がデータ化されているので、制御手段４では、開始時刻および終了時刻から予約番組の放送時間を求め、予約番組を視聴するために必要な電力を算出する（Ｓ３）。
【０００９】
制御手段４は、内部電源の残存電力と予約番組に必要な電力を比較し、内部電源に予約番組に必要な電力が残存している場合は（Ｓ４）、電力制御手段５に対して予約番組に必要な電力を保存するように制御する（Ｓ５）。また、内部電源に予約番組に必要な電力が残存していない場合は（Ｓ４）、予約手段２による番組の予約を解除するように制御する（Ｓ６）。また、予約を解除する場合は、「電力不足のため視聴予約はできません」等の表示を表示手段１に表示することにより、ユーザに対して電力が不足していることを認識させることができる（Ｓ７）。
従って、予約番組に必要な電力は保存されるので、予約番組の途中で電力がなくなり最後まで見ることができなくなるというような不具合を解消することができる。
【００１０】
予約番組の開始時刻前に他番組を視聴する場合の構成を、図３のフローチャートに基づいて説明する。
視聴予約が行なわれた後（Ｓ１１）、予約番組の開始時刻前に他番組の視聴をしている場合（Ｓ１２）、制御手段４では、内部電源の残存電力と予約番組に必要な電力との比較を定期的に行なう。そして、視聴を続けることにより予約番組に必要な電力が不足すると判断された場合は（Ｓ１３）、視聴中の番組の視聴を中止するように制御する（Ｓ１４）。また、視聴を中止する場合は、「視聴を続けると、予約番組の電力が不足するため中止します」等の表示を表示手段１に表示することにより、ユーザに対して予約電力が不足してしまうことを認識させることができる（Ｓ１５）。そして、予約電力の保存は維持される（Ｓ１６）。
従って、予約番組に必要な電力が不足してしまうことを心配することなく、他番組の視聴を行なうことができるものである。
【００１１】
なお、視聴中の番組の視聴を中止する代わりに、視聴を継続するか中止するかをユーザに対して選択させるように構成することもできる。その場合のフローチャートを図４に示す。なお、Ｓ１１〜Ｓ１３は、図３と同様のため説明を省略する。Ｓ１３で、視聴を続けることにより予約番組に必要な電力が不足すると判断された場合は、例えば、表示手段１に、図５に示すような、継続か中止かを選択するための選択肢を表示させて、選択できるようにする（Ｓ１７）。中止が選択されれば（Ｓ１７）、予約番組に必要な電力の保存は維持される（Ｓ１８）。継続が選択された場合は（Ｓ１７）、保存されていた予約番組に必要な電力を使用することができるように制御し、予約番組の予約を解除する（Ｓ１９）。また、予約が解除された場合は、「予約番組の予約は解除されました」等の表示を表示手段１に表示することにより、ユーザに対して予約が解除されたことを認識させることができる（Ｓ２０）。
このように、選択肢を表示してユーザに選択させる構成にすることにより、更に柔軟性のある放送受信装置を提供することができる。
【００１２】
さらに、制御手段４は、予約番組に必要な電力以外で使用できる内部電源の電力を求め、該電力で視聴できる視聴時間を算出して表示手段１に表示させるように制御することもできる。そうすれば、ユーザは残りの視聴可能時間を常に知ることができ、非常に便利なものとなる。
【００１３】
なお、上記説明では、番組の視聴予約を電子番組表を用いて行なったが、これに限定されるものではない。例えば、予約手段２により、チャンネル、曜日、開始時刻、終了時刻等をユーザが入力し、入力された開始時刻、終了時刻から放送時間を求め電力を算出するような構成にすることもできる。
【図面の簡単な説明】
【００１４】
【図１】本発明の実施の形態にかかる放送受信装置の主要部のブロック図。
【図２】本発明の実施の形態にかかる放送受信装置の予約番組の視聴に必要な電力を保存するための構成を示すフローチャート。
【図３】本発明の実施の形態にかかる放送受信装置の予約番組の開始時刻前に他番組を視聴する場合のフローチャート。
【図４】本発明の実施の形態にかかる放送受信装置の予約番組の開始時刻前に他番組を視聴する場合の他のフローチャート。
【図５】本発明の実施の形態にかかる放送受信装置の選択肢が表示された表示手段を示す図。
【符号の説明】
【００１５】
１      表示手段
２      予約手段
３      記憶手段
４      制御手段
５      電力制御手段
【図１】
2005252598.tif 000003
【図２】
2005252598.tif 000004
【図３】
2005252598.tif 000005
【図４】
2005252598.tif 000006
【図５】
2005252598.tif 000007